(57)【要約】【課題】遮光部材の開口部の内側面で反射する光によって、結像した光学像が不鮮明になることを抑制することができる結像光学素子を提供する。【解決手段】ＣＩＳＭは、複数のレンズを互いの光軸ＯＡが平行となるように列状に配したレンズアレイを備え、該レンズアレイの一方端側からの入射光学像を他方端側で結像させて像を形成する。そして、同ＣＩＳＭは、光を通過させる複数の開口部２０がレンズアレイにおけるレンズの配列方向と同方向に列状に設けられた遮光部材１３をさらに備え、開口部２０の内側面２０ａは、光軸ＯＡを中心とする同心円弧２１〜２４に沿う複数の円弧面２１ａ〜２４ａを含む。【選択図】図２
2015018019.tif 000002
【特許請求の範囲】
【請求項１】
複数のレンズを互いの光軸が平行となるように列状に配したレンズアレイを備え、該レンズアレイの一方端側からの入射光学像を他方端側で結像させて像を形成する結像光学素子であって、
前記レンズアレイの前記一方端側及び前記他方端側の少なくとも一方に配置され、光を通過させる複数の開口部が前記レンズアレイにおける前記レンズの配列方向である主走査方向と同方向に列状に設けられた遮光部材をさらに備え、
前記開口部の内側面は、前記光軸を中心とする同心円弧に沿う複数の円弧面を含むことを特徴とする結像光学素子。
【請求項２】
前記主走査方向において前記中心を通る開口部の開口寸法は、光軸の延びる光軸方向及び前記主走査方向の両方向と直交する副走査方向において前記中心を通る開口部の開口寸法よりも短いことを特徴とする請求項１に記載の結像光学素子。
【請求項３】
前記開口部において、前記中心から前記副走査方向に位置する前記内側面は、前記同心円弧のうち最大径の円弧に沿う円弧面であることを特徴とする請求項２に記載の結像光学素子。
【請求項４】
前記開口部において、前記中心から前記主走査方向に位置する前記内側面は、前記同心円弧のうち最小径の円弧に沿う円弧面であることを特徴とする請求項２又は請求項３に記載の結像光学素子。
【請求項５】
前記光軸方向と直交する前記開口部の開口面積は、前記他方端側のほうが前記一方端側よりも小さいことを特徴とする請求項１〜請求項４のうち何れか一項に記載の結像光学素子。
【請求項６】
前記遮光部材は、前記光軸方向において、前記開口部が形成された板状部材を複数積層して形成されることを特徴とする請求項１〜請求項５のうち何れか一項に記載の結像光学素子。
【請求項７】
光軸の延びる光軸方向及び前記主走査方向の両方向と直交する副走査方向から前記レンズアレイを挟持可能な第１の挟持部材及び第２の挟持部材をさらに備え、
前記遮光部材は、前記副走査方向において第１の遮光部材と第２の遮光部材とに分割可能とされ、
前記第１の遮光部材は、前記第１の挟持部材に設けられ、
前記第２の遮光部材は、前記第２の挟持部材に設けられることを特徴とする請求項１〜請求項６のうち何れか一項に記載の結像光学素子。
【発明の詳細な説明】
【技術分野】
【０００１】
本発明は、イメージスキャナーなどに適用可能な結像光学素子に関する。
【背景技術】
【０００２】
従来から、画像読取装置の一例として、原稿に記録された画像などの読み取りを行うイメージスキャナーが知られている。こうした画像読取装置では、読取対象物の光学像をイメージセンサー上に結像させる結像光学素子（コンタクトイメージセンサーモジュール）が設けられていることが一般的である。そして、このような結像光学素子には、複数のレンズを列状に配したレンズアレイと、各レンズに対して不要な光が入射することを抑制する開口部が形成された遮光部材と、を有するものがある（例えば、特許文献１）。
【先行技術文献】
【特許文献】
【０００３】
【特許文献１】特開２０００−２２１４４２号公報
【発明の概要】
【発明が解決しようとする課題】
【０００４】
ところで、上記のように開口部を有する遮光部材を備えた結像光学素子において、レンズに入射する光には、開口部の内側面で反射されずにレンズに入射する光と、開口部の内側面で反射されてからレンズに入射する光とが含まれる。
【０００５】
ここで、上記の結像光学素子では、レンズの光軸方向における平面視において、開口部が矩形状又は楕円形状をなすため、開口部の内側面で反射された光がレンズの中心に向かわない迷光となりやすい。この場合、そうした迷光がイメージセンサー上で光学像の結像に関与すると、結像した光学像が不鮮明となるという課題がある。
【０００６】
本発明は、上記実情に鑑みてなされたものである。その目的は、遮光部材の開口部の内側面で反射する光によって、結像した光学像が不鮮明になることを抑制することができる結像光学素子を提供することにある。
【課題を解決するための手段】
【０００７】
以下、上記課題を解決するための手段及びその作用効果について記載する。
上記課題を解決する結像光学素子は、複数のレンズを互いの光軸が平行となるように列状に配したレンズアレイを備え、該レンズアレイの一方端側からの入射光学像を他方端側で結像させて像を形成する結像光学素子であって、前記レンズアレイの前記一方端側及び前記他方端側の少なくとも一方に配置され、光を通過させる複数の開口部が前記レンズアレイにおける前記レンズの配列方向である主走査方向と同方向に列状に設けられた遮光部材をさらに備え、前記開口部の内側面は、前記光軸を中心とする同心円弧に沿う複数の円弧面を含む。
【０００８】
上記構成によれば、遮光部材によって、読取対象物から結像光学素子に向かって進む光のうち光軸から大きく傾いた光を遮光したり、レンズで屈折した光のうち光軸から大きく傾いた光を遮光したりすることで、そうした光が結像に関与することを抑制することができる。そして、遮光部材の開口部の内側面には、光軸を中心とする同心円弧に沿う複数の円弧面が含まれているため、開口部の内側面に向かう光がある場合には、そうした光を円弧面で反射させてレンズの光軸に向かわせ易くすることができる。このため、開口部の内側面で反射された光が光軸とは異なる方向に進むことで迷光となることが抑制される。こうして、レンズアレイの一方端側からの入射光学像を、レンズアレイの他方端側で結像した光学像が不鮮明になることを抑制することができる。
【０００９】
上記結像光学素子において、前記主走査方向において前記中心を通る開口部の開口寸法は、光軸の延びる光軸方向及び前記主走査方向の両方向と直交する副走査方向において前記中心を通る開口部の開口寸法よりも短いことが望ましい。
【００１０】
上記構成によれば、光軸方向と直交する開口部の開口面積が一定である場合には、主走査方向の開口寸法が副走査方向の開口寸法よりも長い場合などに比べて、単位長さ当たりの開口部の数を主走査方向に多く設けることができる。このため、開口部の数に対応するレンズの数を主走査方向に多く設けることができ、主走査方向において高解像度な結像光学像を得ることができる。
【００１１】
上記結像光学素子は、前記開口部において、前記中心から前記副走査方向に位置する前記内側面は、前記同心円弧のうち最大径の円弧に沿う円弧面であることが望ましい。
上記構成によれば、同心円弧の中心から副走査方向に位置する内側面を同心円弧のうち最大径の円弧に沿う円弧面とすることで、その円弧面を構成する円弧の中心角を大きく取りつつ、開口部の開口寸法を主走査方向よりも副走査方向のほうを長くすることを実現できる。したがって、中心から副走査方向に進む光を、最大径の円弧に沿う円弧面が光軸に向かって反射することで、そうした光が迷光となることを抑制しつつ、主走査方向において高解像度な結像光学像を得ることが可能となる。
【００１２】
上記結像光学素子は、前記開口部において、前記中心から前記主走査方向に位置する前記内側面は、前記同心円弧のうち最小径の円弧に沿う円弧面であることが望ましい。
上記構成によれば、同心円弧の中心から主走査方向に位置する内側面を同心円弧のうち最小径の円弧に沿う円弧面とすることで、その円弧面を構成する円弧の中心角を大きく取りつつ、開口部の開口寸法を主走査方向よりも副走査方向のほうを長くすることを実現できる。したがって、中心から主走査方向に進む光を、最小径の円弧に沿う円弧面が光軸に向かって反射することで、そうした光が迷光となることを抑制しつつ、主走査方向において高解像度な結像光学像を得ることが可能となる。
【００１３】
上記結像光学素子において、前記光軸方向と直交する前記開口部の開口面積は、前記他方端側のほうが前記一方端側よりも小さいことが望ましい。
上記構成によれば、開口部の開口面積は、光の進行方向側でもある他方端側のほうが一方端側よりも小さくなっているため、光軸に対して大きく傾いた光が一方端側から開口部に入射した場合には、そうした光を開口部内で反射して一方端側に戻すようにすることができる。このため、開口部を通過した光に、光軸から大きく傾いた光が含まれることが抑制される。したがって、結像光学像が不鮮明になることを抑制することができる。
【００１４】
上記結像光学素子において、前記遮光部材は、前記光軸方向において、前記開口部が形成された板状部材を複数積層して形成されることが望ましい。
上記構成によれば、遮光部材よりも光軸方向における長さ寸法が短い板状部材に開口部を形成し、そうした板状部材を複数積層することで、開口部を有する遮光部材を造ることができる。このため、遮光部材の光軸方向における長さ寸法（厚さ寸法）に起因して、開口部を形成・加工することが困難な場合などには、遮光部材を容易に作成することが可能となる。
【００１５】
上記結像光学素子は、光軸の延びる光軸方向及び前記主走査方向の両方向と直交する副走査方向から前記レンズアレイを挟持可能な第１の挟持部材及び第２の挟持部材をさらに備え、前記遮光部材は、前記副走査方向において第１の遮光部材と第２の遮光部材とに分割可能とされ、前記第１の遮光部材は、前記第１の挟持部材に設けられ、前記第２の遮光部材は、前記第２の挟持部材に設けられることが望ましい。
【００１６】
上記構成によれば、第１の挟持部材と第２の挟持部材とでレンズアレイを挟持することで、両挟持部材にレンズアレイを組み付けることができる。また、第１の挟持部材には第１の遮光部材が設けられ、第２の挟持部材には第２の遮光部材が設けられているため、両挟持部材がレンズアレイを挟持することで、遮光部材を形成することができる。このため、レンズアレイに対する遮光部材の組み付け精度を向上させることができる。
【図面の簡単な説明】
【００１７】
【図１】コンタクトイメージセンサーモジュールの概略構成を示す斜視図。
【図２】遮光部材の部分平面図。
【図３】（ａ）は本実施形態のコンタクトイメージセンサーモジュールの作用を説明する部分平面図、（ｂ）は比較例のコンタクトイメージセンサーモジュールの作用を説明する部分平面図。
【図４】コンタクトイメージセンサーモジュールを模式的に示す断面図であって、（ａ）は図３（ａ）における４ａ−４ａ線矢視断面図、（ｂ）は図３（ｂ）における４ｂ−４ｂ線矢視断面図。
【図５】第１の変形例における遮光部材の部分平面図。
【図６】第２の変形例における遮光部材の部分平面図。
【図７】第３の変形例における遮光部材の部分斜視図。
【図８】第４の変形例における遮光部材の部分斜視図。
【図９】第５の変形例におけるＣＩＳＭの部分斜視図。
【図１０】第６の変形例におけるＣＩＳＭを示す図であって、（ａ）は部分分解斜視図、（ｂ）は部分平面図。
【発明を実施するための形態】
【００１８】
以下、結像光学素子をコンタクトイメージセンサーモジュール（Contact Image Sensor Module，以下「ＣＩＳＭ」ともいう）に具体化した一実施形態について、図面を参照して説明する。
【００１９】
図１に示すように、ＣＩＳＭ１０は、複数のレンズ１１を互いの光軸が平行となるように列状に配したレンズアレイ１２と、複数のレンズ１１に対応する複数の開口部２０が設けられた遮光部材１３，１４と、リニア式のイメージセンサー１５を有する受光部１６と、を備えている。そして、読取対象物の一例としての原稿Ｐの読取面からＣＩＳＭ１０に向かって進む光Ｌは、レンズアレイ１２及び遮光部材１３，１４を通過することで、受光部１６まで到達することが可能となっている。なお、原稿Ｐの読取面からＣＩＳＭ１０に向かって進む光Ｌ（以下、「原稿Ｐの読取面からの光Ｌ」ともいう）とは、実際には、不図示の光源から原稿Ｐの読取面に照射された光の反射光であることが一般的である。また、以降の説明では、レンズアレイ１２において複数のレンズ１１が配列する方向を「配列方向」若しくは「主走査方向」ともいい、レンズ１１の光軸の延びる方向を「光軸方向」ともいう。そして、配列方向（主走査方向）及び光軸方向の両方向と直交する方向を「副走査方向」ともいう。因みに、副走査方向は、ＣＩＳＭ１０が、原稿Ｐの読取を行う際に同原稿Ｐに対して相対的に移動する方向である。
【００２０】
レンズアレイ１２は、レンズ１１に入射する光をイメージセンサー１５に集光させるために設けられている。レンズアレイ１２としては、本実施形態のように棒状をなすレンズ１１を配列したロッドレンズアレイを用いてもよいし、その他のレンズアレイを用いてもよい。
【００２１】
遮光部材１３，１４は、光軸方向においてレンズアレイ１２の一方端側（原稿Ｐ側）及び他方端側（受光部１６側）に設けられている。本実施形態では、レンズアレイ１２の光軸方向における両側に設けられる遮光部材１３，１４は同一形状である。このため、以降の説明では、両遮光部材１３，１４を代表してレンズアレイ１２の一方端側に位置する遮光部材１３について説明する。
【００２２】
図１に示すように、遮光部材１３は、配列方向を長手方向とする板状をなしている。遮光部材１３に形成される開口部２０は、隣り合う開口部２０の中心同士の距離が、レンズアレイ１２において隣り合うレンズ１１の中心同士の距離と等しくなっている。このため、光軸方向における平面視において、各レンズ１１の中心位置と各開口部２０の中心位置は一致している。
【００２３】
図１及び図２に示すように、開口部２０は、遮光部材１３を光軸方向に貫通するように形成されている。また、図２に示すように、開口部２０は、光軸方向における平面視において、光軸ＯＡを中心ＣＰとする同心円弧２１，２２，２３，２４を組み合わせた形状をなしている。具体的には、第１の半径Ｒ１を有する第１の円弧２１の両端部は、第１の半径Ｒ１よりも大きな第２の半径Ｒ２を有する第２の円弧２２の一方の端部と両円弧２１，２２の半径方向に接続されている。また、第２の円弧２２の他方の端部は、第２の半径Ｒ２よりも大きな第３の半径Ｒ３を有する第３の円弧２３の一方の端部と両円弧２２，２３の半径方向に接続されている。また、第３の円弧２３の他方の端部は、第３の半径Ｒ３よりも大きな第４の半径Ｒ４を有する第４の円弧２４の両端部と両円弧２３，２４の半径方向に接続されている。
【００２４】
また、図２に示すように、配列方向と副走査方向の間をなす角度範囲において、第１の円弧２１は、最も配列方向寄りの角度範囲に位置し、第４の円弧２４は、最も副走査方向寄りの角度範囲に位置している。また、上述の角度範囲において、第２の円弧２２及び第３の円弧２３は、第１の円弧２１よりも副走査方向寄りであって第４の円弧２４よりも配列方向寄りの角度範囲に位置している。そして、上述の角度範囲において、第２の円弧２２は、第３の円弧２３よりも、配列方向寄りの角度範囲に位置している。したがって、配列方向と副走査方向の間をなす角度範囲において、配列方向寄りに位置する同心円弧の半径は、副走査方向寄りに位置する同心円弧の半径よりも小さくなっている。
【００２５】
そして、こうした平面視形状を有する開口部２０の内側面２０ａは、光軸ＯＡを中心ＣＰとする同心円弧２１〜２４に沿う複数の円弧面２１ａ，２２ａ，２３ａ，２４ａと、円弧面２１ａ〜２４ａ同士を同心円弧２１〜２４の半径方向に接続する複数の内平面２１ｂ，２２ｂ，２３ｂとを有している。なお、円弧面２１ａ〜２４ａは、同心円弧２１〜２４を光軸方向に移動させた際に、その移動経路によってできる面である。また、内平面２１ｂ〜２３ｂは、半径方向に隣接する同心円弧２１〜２４同士を半径方向に接続する線分を光軸方向に移動させた際に、その移動経路によってできる面である。そして、本実施形態では、円弧面２１ａ〜２４ａは同心円弧２１〜２４の半径方向と直交し、内平面２１ｂ〜２３ｄは同心円弧２１〜２４の法線方向と直交している。このため、開口部２０は光軸方向において一定の開口面積となっている。また、開口部２０の開口形状は、中心ＣＰを基準とする点対称であるとともに、中心ＣＰを通る配列方向において線対称となっている。
【００２６】
また、開口部２０において、中心ＣＰから副走査方向に位置する内側面２０ａは、同心円弧２１〜２４のうち最大半径（第４の半径Ｒ４）の第４の円弧２４からなる円弧面２４ａとなっている。一方で、中心ＣＰから配列方向に位置する内側面２０ａは、同心円弧２１〜２４のうち最小半径（第１の半径Ｒ１）の第１の円弧２１からなる円弧２１ａ面となっている。このため、配列方向において中心ＣＰを通る開口部２０の開口寸法（第１の半径Ｒ１の２倍）は、副走査方向において中心ＣＰを通る開口寸法（第４の半径Ｒ４の２倍）よりも短くなっている。また、本実施形態では、開口部２０の配列方向における最少開口寸法は、開口部２０の副走査方向における最大開口寸法（第４の半径Ｒ４の２倍）よりも短くなっている。
【００２７】
図１に示すように、本実施形態では、上述したようにレンズアレイ１２の光軸方向における両側に、同一形状の遮光部材１３，１４が設けられている。ここで、各遮光部材１３，１４は、光軸方向に、その開口部２０の中心ＣＰを一致させた状態で配置されている。このため、原稿Ｐの読取面からの光Ｌは、一方端側に配置された遮光部材１３の開口部２０に通過し、続いてレンズアレイ１２を通過して、他方端側に配置された遮光部材１４の開口部２０を通過することとなる。なお、一方端側に配置される遮光部材１３は、光軸から大きく傾いた光を遮光して、そうした光がレンズアレイ１２に入射することを抑制するために設けられている。また、他方端側に配置される遮光部材１４は、レンズアレイ１２で屈折された光のうち光軸から大きく傾いた光を遮光して、そうした光がイメージセンサー１５で光学像の結像に関与することを抑制するために設けられている。
【００２８】
そして、光軸方向における一方端側から順に、遮光部材１３、レンズアレイ１２、遮光部材１４、及び受光部１６を組み付けることで本実施形態のＣＩＳＭ１０が構成されている。
【００２９】
次に、図３及び図４を参照して、本実施形態のＣＩＳＭ１０の作用について、遮光部材１３，１４の内側面２０ａで反射される光に注目して説明する。なお、図３（ａ）及び図４（ａ）では、本実施形態のＣＩＳＭ１０の遮光部材１３，１４が、原稿Ｐの読取面からの光を通過させる様子を示している。一方、図３（ｂ）及び図４（ｂ）には比較例のＣＩＳＭ１１０として、矩形の開口部１２０を有する遮光部材１１３，１１４が、原稿Ｐの読取面からの光を通過させる様子を示している。また、図４（ａ），（ｂ）には、遮光部材１３，１４，１１３，１１４の開口部２０の内側面２０ａで反射されることなく、イメージセンサー１５に到達する光Ｌ０が示してある。また、図４（ａ），（ｂ）では、説明理解の容易のために、一部構成の図示を省略し、他の一部構成の断面図示を省略している。
【００３０】
まず、本実施形態のＣＩＳＭ１０の作用について説明する。
図３（ａ）及び図４（ａ）に示すように、本実施形態のＣＩＳＭ１０では、光軸ＯＡから配列方向に沿って進む光Ｌ１は、遮光部材１３の円弧面２１ａで反射された後に、レンズ１１の中心（光軸ＯＡ）に向かって進行する。そして、図４（ａ）に示すように、光Ｌ１は、レンズ１１を通過した後に遮光部材１４の円弧面２１ａで反射され、受光部１６のイメージセンサー１５上に到達する。また、図３（ａ）及び図４（ａ）に示すように、光軸ＯＡから配列方向及び副走査方向の間をなす方向に沿って進む光Ｌ２は、遮光部材１３の円弧面２１ａで反射された後に、レンズ１１の中心（光軸ＯＡ）に向かって進行する。そして、図４（ａ）に示すように、光Ｌ２は、レンズ１１を通過した後に遮光部材１４の円弧面２１ａで反射され、受光部１６のイメージセンサー１５上に到達する。こうして、本実施形態では、光Ｌ０がイメージセンサー１５上に到達する位置と同位置に、光Ｌ１，Ｌ２が到達するため、イメージセンサー１５上で鮮明に光学像を結像することができる。
【００３１】
次に、比較例のＣＩＳＭ１１０の作用について説明する。
図３（ｂ）及び図４（ｂ）に示すように、比較例のＣＩＳＭ１１０では、光軸ＯＡから配列方向に沿って進む光Ｌ１は、遮光部材１１３の内側面１２０ａで反射された後に、レンズ１１の中心（光軸ＯＡ）に向かって進行する。そして、図４（ｂ）に示すように、光Ｌ１は、レンズ１１を通過した後に遮光部材１１４の内側面１２０ａで反射され、受光部１６のイメージセンサー１５上に到達する。すなわち、こうした光軸ＯＡから副走査方向に沿って進む光Ｌ１に対しては、本実施形態と同様にイメージセンサー１５に到達する。また、図３（ｂ）及び図４（ｂ）に示すように、光軸ＯＡから配列方向及び副走査方向の間をなす方向に沿って進む光Ｌ２は、遮光部材１１３の内側面１２０ａで反射された後に、レンズ１１の中心（光軸ＯＡ）から逸れて進行する。このため、光Ｌ２は、レンズ１１を通過した後に遮光部材１１４の内側面１２０ａで反射されると、その光は迷光となり、本来の結像位置からずれてイメージセンサー１５上に到達する。すなわち、比較例のＣＩＳＭ１１０では、光Ｌ０がイメージセンサー１５上に到達する位置と同位置に、光Ｌ２が到達しないため、イメージセンサー１５上で鮮明に光学像を結像することができない。
【００３２】
なお、上記の説明では、光Ｌ１，Ｌ２に限り、遮光部材の開口部２０で反射される際の作用について説明したが、本実施形態のＣＩＳＭ１０によれば、光軸ＯＡから他の方向に沿って進む光が開口部２０の円弧面２１ａ〜２４ａで反射される場合についても同様の作用を得ることができる。
【００３３】
上記実施形態によれば、以下に示す効果を得ることができる。
（１）遮光部材１３，１４によって、原稿Ｐの読取面からの光のうち光軸ＯＡから大きく傾いた光を遮光したり、レンズ１１で屈折した光のうち光軸ＯＡから大きく傾いた光を遮光したりすることで、そうした光が結像に関与することを抑制することができる。そして、遮光部材１３，１４の開口部２０の内側面２０ａには、光軸ＯＡを中心とする同心円弧２１〜２４に沿う複数の円弧面２１ａ〜２４ａが含まれているため、開口部２０の内側面２０ａに向かう光がある場合には、そうした光を円弧面２１ａ〜２４ａで反射させて光軸ＯＡに向かわせ易くすることができる。すなわち、そうした光をレンズ１１の中心や、イメージセンサー１５の結像位置に向かわせ易くすることができる。言い換えれば、開口部２０の内側面２０ａで反射された光が光軸ＯＡとは異なる方向に進むことで迷光となることが抑制される。こうして、レンズアレイ１２の一方端側からの入射光学像（原稿Ｐの読取面に記録された像）を、レンズアレイ１２の他方端側で結像した光学像が不鮮明になることを抑制することができる。
【００３４】
（２）光軸方向と直交する開口部２０の開口面積が一定である場合を前提とすると、配列方向の開口寸法が副走査方向の開口寸法よりも短いため、単位長さ当たりの開口部２０の数を配列方向に多く設けることができる。このため、開口部２０の数に対応するレンズ１１の数を配列方向に多く設けることができ、配列方向において高解像度な結像光学像を得ることができる。
【００３５】
（３）同心円弧２１〜２４の中心から副走査方向に位置する内側面２０ａを同心円弧２１〜２４のうち最大径（第４の半径Ｒ４）の円弧２４に沿う円弧面２４ａとすることで、その円弧面２４ａを構成する円弧２４の中心角を大きく取りつつ、開口部２０の開口寸法を配列方向よりも副走査方向のほうを長くすることを実現できる。したがって、中心から副走査方向に進む光を、円弧面２４ａが光軸ＯＡに向かって反射することで、そうした光が迷光となることを抑制しつつ、配列方向において高解像度な結像光学像を得ることが可能となる。
【００３６】
（４）同心円弧２１〜２４の中心から配列方向に位置する内側面２０ａを同心円弧２１〜２４のうち最小径（第１の半径Ｒ１）の円弧２１に沿う円弧面２１ａとすることで、その円弧面２１ａを構成する円弧２１の中心角を大きく取りつつ、開口部２０の開口寸法を配列方向よりも副走査方向のほうを長くすることを実現できる。したがって、中心から配列方向に進む光を、円弧面２１ａが光軸ＯＡに向かって反射することで、そうした光が迷光となることを抑制しつつ、配列方向において高解像度な結像光学像を得ることが可能となる。
【００３７】
なお、上記実施形態は、以下に示すように変更してもよい。
・図５に示すように、遮光部材１３，１４における同心円弧２１〜２４は、同心楕円からなる同心楕円弧４１〜４３であってもよい。すなわち、図５に示すように遮光部材３１の開口部４０は、光軸方向における平面視において、第１の楕円弧４１と、第１の楕円弧４１よりも短径及び長径の大きい第２の楕円弧４２と、第２の楕円弧４２よりも短径及び長径の大きい第３の楕円弧４３とを組み合わせた形状としてもよい。これによれば、開口部４０を第３の楕円弧４３の短径及び長径を有する単なる楕円とした場合に比べ、開口部４０の内側面４０ａで反射した光をレンズ１１の中心（光軸ＯＡ）に向かい易くできる。さらに、配列方向における開口部４０の開口寸法を短くできることで、配列方向において、開口部４０の数（レンズ１１の数）を多く設けることができる。このため、同心楕円弧４１〜４３の短径方向は配列方向であることが望ましく、同心楕円弧４１〜４３の長径方向は副走査方向であることが望ましい。
【００３８】
・図６に示すように、遮光部材１３，１４において隣り合う開口部２０の形は等しくなくてもよい。すなわち、図６に示すように、遮光部材３２に上記実施形態における開口部２０と、同開口部２０と形状の異なる開口部５０を交互に設けるようにしてもよい。この場合、開口部５０は、第１の半径Ｒ１を有する第１の円弧５１と、第２の半径Ｒ２より大きく第３の半径Ｒ３より小さい第５の半径Ｒ５を有する第２の円弧５２と、第３の半径Ｒ３より大きく第４の半径Ｒ４より小さい第６の半径Ｒ６を有する第３の円弧５３と、第４の半径Ｒ４を有する第４の円弧５４とを組み合わせた形状とすることが望ましい。これによれば、隣り合う開口部２０，５０間の距離Ｄを、図２に示す遮光部材１３，１４における開口部２０間の距離よりも長くすることができる。したがって、こうした遮光部材３２によれば、上記実施形態の効果（１）〜（４）に加え、配列方向における開口部２０，５０の数を少なくすることなく、副走査方向と直交する開口部２０，５０間の断面が局所的に小さくなることを抑制することができる。すなわち、同断面に遮光部材３２の製造時や使用時などにおいて、高い応力が生じることを抑制することができる。
【００３９】
なお、並設方向において、一方端側が開口部２０からなり、他方端側が開口部５０からなる開口部を並設するようにしてもよい。すなわち、その開口部は、配列方向において対向する内側面の形状が異なっていてもよい。この場合でも上述した効果を得ることができる。
【００４０】
・図７に示すように、遮光部材１３，１４は、光軸方向において、開口部２０と同形状の開口部６１，６２，６３が形成された板状部材６４，６５，６６を複数積層して形成される遮光部材３３であってもよい。この場合には、第１の板状部材６４に形成される開口部６１の大きさよりも、第１の板状部材６４よりも受光部１６側に配置される第２の板状部材６５に形成される開口部６２の大きさを小さくしてもよい。また、第２の板状部材６５に形成される開口部６２の大きさよりも、第２の板状部材６５よりも受光部１６側に配置される第３の板状部材６６に形成される開口部６３の大きさを小さくしてもよい。すなわち、遮光部材３３において、光軸方向と直交する開口部の開口面積は、他方端側の開口部６３のほうが一方端側の開口部６１よりも小さくてもよい。これによれば、第１の板状部材６４の開口部６１と第２の板状部材６５の開口部６２の大きさの差によって、第２の板状部材６５上に段差部６５ａが形成される。同様に、第２の板状部材６５の開口部と第３の板状部材６６の開口部の大きさの差によって、第３の板状部材６６上に段差部６６ａが形成される。
【００４１】
こうした各板状部材６４〜６６を一体化することによって形成される遮光部材３３によっても、上記実施形態の効果（１）〜（４）を得ることができる。さらに、こうした遮光部材３３によれば、原稿Ｐの読取面からの光のうち、第１の板状部材６４の開口部６１の内側面６１ａ及び第２の板状部材６５の開口部６２の内側面６２ａで反射される光を、次いで段差部６５ａ，６６ａで反射させて、原稿Ｐがある一方端側へ戻すようにすることができる。すなわち、迷光となるような光軸から大きく傾いた光が、第３の板状部材６６の開口部６３を通過したり、内側面６３ａで反射したりすることで、レンズ１１にまで到達することを抑制することができる。したがって、結像光学像が不鮮明になることを抑制することができる。
【００４２】
・図８に示すように、遮光部材３３は、光軸方向において、形状の異なる開口部７１，７２，７３が形成された板状部材７４，７５，７６を複数積層して形成される遮光部材３４であってもよい。すなわち、図８に示すように、第１の板状部材７４に形成される開口部７１の内側面７１ａは、第３の円弧２３及び第４の円弧２４に対応する円弧面２３ａ，２４ａを有していれば、第１の円弧２１及び第２の円弧２２に対応する円弧面２１ａ，２２ａを有していなくてもよい。また、第１の板状部材７４よりも受光部１６側に配置される第２の板状部材７５に形成される開口部７２の内側面７２ａは、第２の円弧２２及び第４の円弧２４に対応する円弧面２２ａ，２４ａを有していれば、第１の円弧２１及び第３の円弧２３に対応する円弧面２１ａ，２３ａを有していなくてもよい。また、第２の板状部材７５よりも受光部１６側に配置される第３の板状部材７６に形成される開口部７３の内側面７３ａは、第１の円弧２１及び第４の円弧２４に対応する円弧面２１ａ，２４ａを有していれば、第２の円弧２２及び第３の円弧２３に対応する円弧面２２ａ，２３ａを有していなくてもよい。
【００４３】
こうした各板状部材７４〜７６を一体化することによって形成される遮光部材３４によれば、図３（ｂ）及び図４（ｂ）に示す比較例に比べて、レンズアレイ１２の一方端側からの入射光学像（原稿Ｐの読取面に記録された像）を、レンズアレイ１２の他方端側で結像した光学像が不鮮明になることを抑制することができる。さらに、こうした遮光部材３４によれば、各板状部材７４〜７６に形成される開口部７１〜７３の形状が、上記実施形態の開口部２０に比べ単純化できるため、開口部７１，７２，７３の形成・加工を容易に行うことができる。
【００４４】
・また、図７及び図８に示す遮光部材３３，３４は、接着や溶着によって各板状部材６４〜６６，７４〜７６を一体化してもよいし、リベットやねじで機械的に各板状部材６４〜６６，７４〜７６を一体化してもよい。そして、何れの場合にも、遮光部材３３，３４の光軸方向における長さ寸法に起因して、開口部を形成・加工することが困難な場合などには、遮光部材を容易に作成することが可能となる。
【００４５】
・また、図７及び図８に示す遮光部材３３，３４において、開口部６１〜６３，７１〜７３は、同一の形状かつ同一の大きさであってもよい。
・また、図７及び図８に示す遮光部材３３，３４において、遮光部材３３，３４を２つの板状部材を一体化することで形成してもよいし、４つ以上の板状部材を一体化することで形成してもよい。
【００４６】
・また、図７及び図８に示す遮光部材３３，３４において、最も原稿Ｐ側となる第１の板状部材６４，７４の開口部６１，７１は、単なる楕円形状の開口部であってもよい。
・図９に示すように、ＣＩＳＭ１０は、副走査方向からレンズアレイ１２を挟持可能な対をなす挟持部材８１，８２をさらに備えたＣＩＳＭ１０Ａであってもよい。この場合、対をなす第１の挟持部材８１及び第２の挟持部材８２は、配列方向における断面形状が略Ｃ字状をなすとともに、対をなす挟持部材８１，８２がレンズアレイ１２を挟持した際に、副走査方向に互いが突き当たる突き当て部８３，８４を有することが好ましい。また、この突き当て部８３，８４には、光軸方向及び副走査方向に段差を設けることが好ましい。そして、第１の挟持部材８１及び第２の挟持部材８２には、互いの突き当て部８３，８４を突き当てた際に、上述した開口部２０に相当する開口部を形作る分割開口部８５，８６が形成されていることが好ましい。なお、図９に示すＣＩＳＭ１０Ａでは、受光部１６の図示を省略している。
【００４７】
この構成によれば、第１の挟持部材８１と第２の挟持部材８２とでレンズアレイ１２を挟持することで、挟持部材８１，８２にレンズアレイ１２を組み付けることができる。そして、第１の挟持部材８１には分割開口部８５が形成され、第２の挟持部材８２には分割開口部８６形成されているため、挟持部材８１，８２がレンズアレイ１２を挟持することで、上記の開口部２０に相当する開口部が形成される。このため、レンズアレイ１２に対する開口部の配置精度を向上させることができる。また、第１の挟持部材８１及び第２の挟持部材８２の突き当て部８３，８４間に組み付け誤差等による隙間が形成されている場合に、図９に一点鎖線で示す原稿Ｐの読取面からの光Ｌ３があったとしても、そうした光Ｌ３は、段差を設けた突き当て部８３，８４で遮光されるため、レンズアレイ１２まで到達することが抑制される。なお、図９に示す変形例においては、遮光部材が副走査方向において第１の遮光部材と第２の遮光部材とに分割可能であって、第１の挟持部材８１に第１の遮光部材が設けられ、第２の挟持部材８２に第２の遮光部材が設けられることとなる。すなわち、第１の挟持部材８１が第１の遮光部材を兼ねているとともに、第２の挟持部材８２が第２の遮光部材を兼ねている。
【００４８】
・図１０（ａ）に示すように、突き当て部８３，８４を備えた第１の挟持部材８１及び第２の挟持部材８２は、配列方向において、副走査方向における突出量を交互に異ならせた突き当て部９３，９４を備えた第１の挟持部材９１及び第２の挟持部材９２としてもよい。すなわち、ＣＩＳＭ１０Ａは、第１の挟持部材９１及び第２の挟持部材９２を備えたＣＩＳＭ１０Ｂであってもよい。ここで、第１の挟持部材９１及び第２の挟持部材９２において、副走査方向に突出量の大きな突き当て部９３Ａ，９４Ａに係合部９５を設け、副走査方向に突出量の小さな突き当て部９３Ｂ，９４Ｂに被係合部９６を設けてもよい。そして、第１の挟持部材９１及び第２の挟持部材９２には、互いの突き当て部９３，９４を突き当てた際に、上記の開口部２０に相当する開口部を形作る分割開口部９７，９８が形成されていることが好ましい。なお、図１０に示すＣＩＳＭ１０Ｂでは、受光部１６の図示を省略している。
【００４９】
この構成によれば、第１の挟持部材９１と第２の挟持部材９２とでレンズアレイ１２を挟持する際に、係合部９５と被係合部９６が係合することで、レンズアレイ１２を精度良く挟持することができる。また、図１０（ｂ）に示すように、副走査方向において、第１の挟持部材９１及び第２の挟持部材９２の突き当て部９３，９４が突き当たる位置は、レンズ１１において効率的に光を集光できるレンズ有効径１１ａの外側となる。このため、第１の挟持部材９１及び第２の挟持部材９２の突き当て部９３，９４間に組み付け誤差等による隙間が形成されている場合でも、そうした隙間を通過した光がレンズ有効径１１ａ内に到達し、光学像の結像に関与することを抑制することができる。なお、図１０に示す変形例においては、遮光部材が副走査方向において第１の遮光部材と第２の遮光部材とに分割可能であって、第１の挟持部材９１に第１の遮光部材が設けられ、第２の挟持部材９２に第２の遮光部材が設けられることとなる。すなわち、第１の挟持部材９１が第１の遮光部材を兼ねるとともに、第２の挟持部材９２が第２の遮光部材を兼ねる。
【００５０】
・図９及び図１０に示す第１の挟持部材８１，９１及び第２の挟持部材８２、９２は、さらに光軸方向に分割可能とするとともに、同光軸方向に組み付け可能（積層可能）としてもよい。
【００５１】
・開口部２０において、円弧面２１ａ〜２４ａの数は、２つでもよいし、３つでもよいし、５つ以上であってもよい。
・開口部２０において、内側面２０ａは、複数の円弧面を有していれば、円弧面及び同円弧面を接続する内平面とは異なる側面を有していてもよい。例えば、図８に示す板状部材７４〜７６を、一体化せずに遮光部材として用いてもよい。
【００５２】
・開口部２０において、同心円弧２２〜２４の弦の長さを一定としてもよい。このとき、弦の長さを開口部２０の配列方向における最大の開口寸法としてもよい。
・遮光部材１３，１４は、光軸方向においてレンズアレイ１２の一方端側及び他方端側の少なくとも一方に配置されていればよい。これは、少なくとも遮光部材１３が一方端側に設けられていれば、原稿Ｐの読取面からの光のうち、光軸ＯＡから大きく傾いた光がレンズ１１に到達することを抑制することができるためである。また、少なくとも遮光部材１４が他方端側に設けられていれば、レンズ１１で屈折された光のうち、光軸ＯＡから大きく傾いた光がイメージセンサー１５上の本来の結像位置からずれた位置に到達することを抑制することができるためである。
【００５３】
・レンズアレイ１２は、レンズ１１を複数列に配したレンズアレイであってもよい。この場合、遮光部材１３，１４は、開口部２０を複数列設けた遮光部材であってもよい。
・光軸方向と直交する開口部２０の開口面積は、一定であってもよいし、一方端側に向かって増加又は減少するようにしてもよい。また、同開口面積は、増減を繰り返すようにしてもよい。また、その場合の開口面積の変化は、階段状に変化させてもよいし、連続的に変化させてもよい。
【００５４】
・開口部２０において、配列方向における開口寸法よりも副走査方向における開口寸法のほうが短くてもよい。
・開口部２０において、中心ＣＰから配列方向に位置する内側面２０ａは、第１の半径Ｒ１を有する第１の円弧２１に沿う円弧面２１ａでなくてもよいし、中心ＣＰから副走査方向に位置する内側面２０ａは、第４の半径Ｒ４を有する第４の円弧２４に沿う円弧面２４ａでなくてもよい。
【符号の説明】
【００５５】
１０，１０Ａ，１０Ｂ…コンタクトイメージセンサーモジュール（結像光学素子の一例）、１１…レンズ、１２…レンズアレイ、１３，１４，３１，３２，３３，３４…遮光部材、１５…イメージセンサー、１６…受光部、２０，４０，５０，６１〜６３，７１〜７３…開口部、２０ａ，４０ａ，６１ａ〜６３ａ，７１ａ〜７３ａ…内側面、２１〜２４…同心円弧、２１ａ〜２４ａ…円弧面、６４〜６６，７４〜７６…板状部材、８１，９１…第１の挟持部材、８２，９２…第２の挟持部材、ＣＰ…中心、ＯＡ…光軸、Ｐ…原稿（読取対象物の一例）、Ｒ１…第１の半径（最小径の一例）、Ｒ４…第４の半径（最大径の一例）。
【図１】
2015018019.tif 000003
【図２】
2015018019.tif 000004
【図３】
2015018019.tif 000005
【図４】
2015018019.tif 000006
【図５】
2015018019.tif 000007
【図６】
2015018019.tif 000008
【図７】
2015018019.tif 000009
【図８】
2015018019.tif 000010
【図９】
2015018019.tif 000011
【図１０】
2015018019.tif 000012